(57)【特許請求の範囲】
【請求項１】
対応するスルーホールの挿入方向に対して延びる一対の腕部を含み、当該一対の腕部が並列される並列方向と前記挿入方向に垂直な垂直方向から視て、当該一対の腕部の前記挿入方向の端部は前記並列方向に隣接しており、前記一対の腕部は、前記端部から相互に離隔しながら前記挿入方向に対して傾斜した後傾斜する方向を転換する一対の転換部を構成し、当該一対の転換部から相互に接近して交差した後再度傾斜する方向を転換する一対の再転換部を構成するとともに、前記スルーホールへの非実装時において、前記一対の転換部の前記並列方向における第一間隔は前記スルーホールの内径よりも小さいことを特徴とするプレスフィット端子。
【請求項２】
前記一対の腕部は、前記一対の再転換部を構成した後、相互に接近して交差した後再度傾斜する方向を転換する再々転換部を構成するとともに、前記スルーホールへの非実装時において、前記一対の再々転換部の前記並列方向における第二間隔は前記スルーホールの内径よりも小さいことを特徴とする請求項１に記載のプレスフィット端子。
【請求項３】
請求項１又は２に記載のプレスフィット端子を含むとともに、
前記一対の再転換部の前記並列方向における第三間隔を前記基板への実装時に縮小する縮小部を含むことを特徴とするコネクタ。
【請求項４】
前記プレスフィット端子を支持するハウジングを含み、前記縮小部は当該ハウジングにスライド可能に設けられることを特徴とする請求項３に記載のコネクタ。
【発明の詳細な説明】
【技術分野】
【０００１】
本発明は、電子装置と基板相互間又は電子装置内の基板相互間等の電気的接続に適用されて好適なプレスフット端子及びそれを含むコネクタに関する。
【背景技術】
【０００２】
基板と電子装置相互間又は電子装置内の基板相互間等において、例えば、電源、信号線、接地線、シールド線等のいずれかを含んで脱着可能に電気的に接続するにあたっては、一般的にコネクタが用いられる。このような用途のコネクタとしては、例えば特許文献１に記載されたようなものがある。
【０００３】
特許文献１中に示されるように、被接続対象となる基板の表面上には複数のスルーホールが並列されており、コネクタ側にはスルーホールに対応する眼鏡状のプレスフィット部を有するプレスフィット端子が並列されて設けられている。特許文献１に記載のコネクタにおいては、スルーホールとプレスフィット端子との接続の信頼性を高めるため、プレスフィット部を挿入方向に二箇所設けることが提案されている。
【先行技術文献】
【特許文献】
【０００４】
【特許文献１】特開２００９−０２１０１６号公報
【発明の概要】
【発明が解決しようとする課題】
【０００５】
ところが、このようなコネクタにおいては、プレスフィット部はスルーホールよりも径を大きくした上で、プレスフィット部をスルーホールに対して圧入することが行われるため、プレスフィット部の接点のスルーホールの内周面との摩耗を招き、プレスフィット部側のメッキの削れが発生するおそれがあった。
【０００６】
本発明は、上記問題に鑑み、スルーホールの内周面との摩耗を防止することができるプレスフィット端子とプレスフィット端子を含むコネクタを提供することを目的とする。
【課題を解決するための手段】
【０００７】
上記の問題を解決するため、本発明に係るプレスフィット端子は、
対応するスルーホールの挿入方向に対して延びる一対の腕部を含み、当該一対の腕部が並列される並列方向と前記挿入方向に垂直な垂直方向から視て、当該一対の腕部の前記挿入方向の端部は前記並列方向に隣接しており、前記一対の腕部は、前記端部から相互に離隔しながら前記挿入方向に対して傾斜した後傾斜する方向を転換する一対の転換部を構成し、当該一対の転換部から相互に接近して交差した後再度傾斜する方向を転換する一対の再転換部を構成するとともに、前記スルーホールへの非実装時において、前記一対の転換部の前記並列方向における第一間隔は前記スルーホールの内径よりも小さいことを特徴とする。ここで、転換とは相互に離隔する方向から相互に接近する方向への変更である。
【０００８】
なお、前記プレスフィット端子において、
前記一対の腕部は、前記一対の再転換部を構成した後、相互に接近して交差した後再度傾斜する方向を転換する再々転換部を構成するとともに、前記スルーホールへの非実装時において、前記一対の再々転換部の前記並列方向における第二間隔は前記スルーホールの内径よりも小さいことを特徴としてもよい。
【０００９】
また上述した課題を解決するため本発明のコネクタは、
前記プレスフィット端子を含むとともに、
前記一対の再転換部の前記並列方向における第三間隔を前記基板への実装時に縮小する縮小部を含むことを特徴とする。
【００１０】
前記コネクタにおいて、
前記プレスフィット端子を支持するハウジングを含み、前記縮小部は当該ハウジングにスライド可能に設けられることを特徴としてもよい。
【発明の効果】
【００１１】
本発明によれば、プレスフィット端子を構成する導電性の材料は一般的に可撓性を有することから、実装作業後以降である実装時においてのみ、第三間隔を縮小すれば、第一又は第二間隔は拡大し、転換部又は再々転換部を接点としてスルーホールの内周面に接触させることができる。つまり実装作業中において、プレスフィット端子をスルーホールに挿入する最中においては、接点をスルーホールの内周面に接触しないようにして、上述した摩耗を防止し、接点のメッキの剥がれ、削れてしまう等の不具合を防止することができる。
【図面の簡単な説明】
【００１２】
【図１】本発明に係る実施例１のコネクタが含むプレスフィット端子１及び縮小部を構成するガイド５の一実施形態について並列方向Ｗ及び挿入方向Ｓに垂直な垂直方向Ｖから視て示す模式図である。
【図２】本発明に係る実施例２のコネクタＣの一実施形態について垂直方向Ｖから視て示す模式図である。
【図３】実施例２のコネクタＣの一実施形態について縮小部を構成するガイド５とハウジング６を含んで背面側から示す模式斜視図である。
【図４】本発明に係る実施例３のコネクタＣの一実施形態について垂直方向Ｖから視て示す模式図である。
【発明を実施するための形態】
【００１３】
以下、本発明を実施するための形態について、添付図面を参照しながら説明する。
【実施例１】
【００１４】
図１（ａ）に示すように、本実施例１のコネクタが含むプレスフィット端子１は、対応する基板Ｐに設けられたスルーホールＴＨの挿入方向Ｓに対して延びる一対の腕部２、３と、腕部２、３の挿入方向Ｓの反対側端部に一体的に形成される基部４を含む。一対の腕部２、３と基部４は例えば銅合金等の導電性の母材をプレス加工により一体成形することにより、一体的に形成される。
【００１５】
一対の腕部２、３が並列される並列方向Ｗと挿入方向Ｓに垂直な垂直方向Ｖから視て、一対の腕部２、３の挿入方向Ｓの端部２ａ、３ａは並列方向Ｗに隣接しており、一対の腕部２、３は、端部２ａ、３ａから相互に離隔しながら挿入方向Ｓに対して傾斜した後傾斜する方向を接近する方向に転換する一対の転換部２ｂ、３ｂを構成し、一対の転換部２ｂ、３ｂから相互に接近して交差した後に相互に離隔する方向に延びた後、再度傾斜する方向を転換する一対の再転換部２ｃ、３ｃを構成する。
【００１６】
さらに、一対の腕部２、３は再転換部２ｃ、３ｃを構成した後、基部４に向けて相互に接近して基部４に逆Ｙ字形状に連絡される。基部４は図示しないハウジングに固定され、支持される。転換部及び再転換部は上述したプレス加工における折り曲げ作用に基づく基部４の図１中並列方向Ｗの中央に対して外側に凸をなす折曲部として構成される。
【００１７】
つまり、垂直方向Ｖ視において、端部２ａ、３ａ、転換部２ｂ、３ｂ、転換部２ｂと再転換部２ｃとの間の傾斜部２ｂｃと、転換部３ｂと再転換部３ｃとの間の傾斜部３ｂｃとの交差する交差点により小さめの菱形を形成し、交差点と再転換部２ｃ、３ｃと基部４との連絡点とにより大きめの菱形を形成する。
【００１８】
本実施例１のプレスフィット端子１においては、図１（ｂ）に示すように、スルーホールＴＨへの非実装時において、一対の転換部２ｂ、３ｂの並列方向Ｗにおける第一間隔Ｗ１はスルーホールＴＨの内径φＴよりも小さいこととしている。なお、第一間隔Ｗ１は、図１（ｂ）に示すように、並列方向Ｗにおいて、腕部２、３の厚みを含めた寸法とする。一対の転換部２ｂ、３ｂはスルーホールＴＨの内周面に対する接点を構成し、表面は適宜の材料によりメッキされている。なお、転換部２ｂ、３ｂ以外の表面にはメッキは施さない。
【００１９】
本実施例１のコネクタに対応する基板Ｐは、図１（ｄ）に示すガイド５を、一対の再転換部２ｃ、３ｃの並列方向Ｗにおける第三間隔Ｗ３を基板Ｐへの実装時に縮小する縮小部として含んでいる。ガイド５は、孔部５ａを含んでおり、孔部５ａは内径φ５の寸法を有する円孔である。内径φ５は、図１（ｂ）に示すように、第三間隔Ｗ３よりも小さく、第一間隔Ｗ１よりも大きいものとする。このガイド５は基板Ｐ側に、図示しない適宜の固定機構を介して設けられている。
【００２０】
ここで図１を用いて実装時のプレスフィット端子１及びガイド５の動作を説明する。図１（ａ）に示すように、プレスフィット端子１を含む図示しないコネクタを基板ＰのスルーホールＴＨの挿入方向Ｓ側に移動させて、腕部２の転換部２ｂと腕部３の転換部３ｂをガイド５の孔部５ａに挿通させた後、さらに、プレスフィット端子１を挿入方向Ｓに移動させて、図１（ｂ）に示すように、腕部２の転換部２ｂと再転換部２ｃとの間の傾斜部２ｂｃと、腕部３の転換部３ｂと再転換部３ｃとの間の傾斜部３ｂｃとに、ガイド５の孔部５ａの挿入方向Ｓの反対側の縁部を接触させる。
【００２１】
ここで、プレスフィット端子１をさらに、挿入方向Ｓ側に移動させると、ガイド５の孔部５ａの縁部により傾斜部２ｂｃと傾斜部３ｂｃが挿入方向Ｓと反対方向に押圧されて、この押圧力は傾斜部２ｂｃと傾斜部３ｂｃにより図１（ｂ）中並列方向Ｗにおいて再転換部２ｃと再転換部３ｃの第三間隔Ｗ３を縮小する圧縮力Ｆ１に変換されて、この圧縮力Ｆ１により第三間隔Ｗ３は縮小され、再転換部２ｃと再転換部３ｃは孔部５ａの内周面に案内されて第三間隔Ｗ３は孔部５ａの内径φ５にまで縮小される。
【００２２】
プレスフィット端子１の腕部２の再転換部２ｃと腕部３の再転換部３ｃの第三間隔Ｗ３が圧縮力Ｆ１により縮小されると、腕部２の転換部２ｂと腕部３の転換部３ｂには並列方向Ｗにおいて拡開する方向の拡大力Ｆ２が作用し、転換部２ｂと転換部３ｂはスルーホールＴＨの内周面に適切に接触される。
【００２３】
以上述べた本実施例１のコネクタによれば、以下に述べるような有利な作用効果を得ることができる。すなわち、コネクタを基板Ｐに実装するにあたって、実装作業後以降である実装後においてのみ、接点を構成する転換部２ｂと転換部３ｂをスルーホールＴＨに接触させることができる。
【００２４】
これにより、実装作業中においてプレスフィット端子１を挿入方向Ｓに挿通させる段階では、転換部２ｂと転換部３ｂの表面のメッキをスルーホールＴＨの内周面に接触させないことができ、内周面との摩耗によるメッキの剥がれ、削れてしまう等の不具合を防止することができる。
【００２５】
上述した実施例１においては、ガイド５を基板Ｐ側に配置して固定する形態を示したが、ガイド５をコネクタのハウジングにスライド可能に設けることもできる。以下それについての実施例２について述べる。
【実施例２】
【００２６】
図２（ａ）に示すように、本実施例２のコネクタＣが含むプレスフィット端子１１は、対応する基板Ｐに設けられたスルーホールＴＨの挿入方向Ｓに対して延びる一対の腕部１２、１３と、腕部１２、１３の挿入方向Ｓの反対側端部に一体的に形成される基部１４を含む。一対の腕部１２、１３と基部１４は実施例１と同じく例えば銅合金等の導電性の母材をプレス加工により一体成形することにより、一体的に形成される。
【００２７】
一対の腕部１２、１３が並列される並列方向Ｗと挿入方向Ｓに垂直な垂直方向Ｖから視て、一対の腕部１２、１３の挿入方向Ｓの端部１２ａ、１３ａは並列方向Ｗに隣接している。また、一対の腕部１２、１３は、端部１２ａ、１３ａから相互に離隔しながら挿入方向Ｓに対して傾斜した後傾斜する方向を転換する一対の転換部１２ｂ、１３ｂを構成し、一対の転換部１２ｂ、１３ｂから相互に接近して交差した後に相互に離隔する方向に延びた後、再度傾斜する方向を転換する一対の再転換部１２ｃ、１３ｃを構成する。さらに、一対の腕部１２、１３は再転換部１２ｃ、１３ｃを構成した後、基部１４に向けて相互に接近して基部１４に連絡される。基部１４は図３に示すハウジング１６の有する穴部に挿通されて適宜の手段により固定され、支持される。
【００２８】
すなわち、垂直方向Ｖ視において、端部１２ａ、１３ａ、転換部１２ｂ、１３ｂ、転換部１２ｂと再転換部１２ｃとの間の傾斜部１２ｂｃと、転換部１３ｂと再転換部１３ｃとの間の傾斜部１３ｂｃとの交差する交差点により下側の菱形を形成し、交差点と再転換部１２ｃ、１３ｃと基部１４との連絡点とにより上側の菱形を形成する。
【００２９】
本実施例２のプレスフィット端子１１においては、図２（ｂ）に示すように、スルーホールＴＨへの非実装時において、一対の転換部１２ｂ、１３ｂの並列方向Ｗにおける第一間隔Ｗ１１はスルーホールＴＨの内径φＴよりも小さいこととしている。ここでも、第一間隔Ｗ１１は、図２（ｂ）に示すように、並列方向Ｗにおいて、腕部１２、１３の厚みを含めた寸法とする。一対の転換部１２ｂ、１３ｂはスルーホールＴＨの内周面に対する接点を構成しており、表面はメッキされており、転換部１２ｂ、１３ｂ以外の表面にはメッキは施されない。
【００３０】
本実施例２のコネクタＣは、図２（ｄ）に示すガイド１５を、一対の再転換部１２ｃ、１３ｃの並列方向Ｗにおける第三間隔Ｗ１３を基板Ｐへの実装時に縮小する縮小部として含んでいる。ガイド１５は、切り欠き状の挿入口１５ａａを有する開口１５ａを含んでおり、開口１５ａは並列方向Ｗにおいて内径φ１５の寸法を有する孔である。内径φ１５は、図２（ｂ）に示すように、第三間隔Ｗ１３よりも小さく、第一間隔Ｗ１１はスルーホールＴＨの内径φＴよりも小さいものとする。また、挿入口１５ａａの並列方向Ｗにおける寸法は、傾斜部１２ｂｃと傾斜部１３ｂｃが交差する交差点における、腕部１２、１３の並列方向Ｗにおける寸法よりも大きいものとする。
【００３１】
このガイド１５は図３に示すように、コネクタＣのハウジング１６に、ガイド１５の有する爪部１５ａとハウジング１６の背面１６ａが有する爪部１５ａを挿入方向Ｓにスライド可能に収容する溝部１６ａｂよりなるスライド機構を介して設けられている。本実施例２ではこのガイド１５はハウジング１６に対して脱着可能なものとして構成されており、ガイド１５をハウジング１６に装着する際には、上述した交差点に挿入口１５ａａを挿通させて、溝部１６ａｂに爪部１５ａを嵌め込むものとする。ガイド１５は挿入方向Ｓに突出して実装時に基板Ｐの表面に当接するガイド押し上げピン１５ｂを四隅に有している。
【００３２】
ここで図２を用いて実装時のプレスフィット端子１１及びガイド１５の動作を説明する。図２（ａ）に示すように、まず、プレスフィット端子１１を含むコネクタＣを基板ＰのスルーホールＴＨの挿入方向Ｓ側に移動させて、腕部１２の転換部１２ｂと腕部１３の転換部１３ｂをスルーホールＴＨに挿通させる。
【００３３】
その後、図２（ｂ）に示すように、ガイド押し上げピン１５ｂの作用に基づいてガイド１５を挿入方向Ｓと反対方向に移動させて、腕部１２の転換部１２ｂと再転換部１２ｃとの間の傾斜部１２ｂｃと、腕部１３の転換部１３ｂと再転換部１３ｃとの間の傾斜部１３ｂｃとに、ガイド１５の開口１５ａの挿入方向Ｓの反対側の縁部を接触させる。
【００３４】
ここで、ガイド１５をさらに、挿入方向Ｓの反対方向に移動させると、ガイド１５の開口１５ａの縁部により傾斜部１２ｂｃと傾斜部１３ｂｃが挿入方向Ｓと反対方向に押圧されて、この押圧力は傾斜部１２ｂｃと傾斜部１３ｂｃにより図２（ｃ）中並列方向Ｗにおいて再転換部１２ｃと再転換部１３ｃの第三間隔Ｗ１３を縮小する圧縮力Ｆ１に変換されて、この圧縮力Ｆ１により第三間隔Ｗ１３は縮小され、再転換部１２ｃと再転換部１３ｃは開口１５ａの内周面に案内されて第三間隔Ｗ１３は開口１５ａの内径φ１５にまで縮小される。
【００３５】
プレスフィット端子１１の腕部１２の再転換部１２ｃと腕部１３の再転換部１３ｃの第三間隔Ｗ１３が圧縮力Ｆ１により縮小されると、腕部１２の転換部１２ｂと腕部１３の転換部１３ｂには並列方向Ｗにおいて拡開する方向の拡大力Ｆ２が作用し、転換部１２ｂと転換部１３ｂはスルーホールＴＨの内周面に適切に接触される。
【００３６】
以上述べた本実施例２のコネクタＣによっても、実施例１と同じく、以下に述べるような有利な作用効果を得ることができる。すなわち、コネクタＣを基板Ｐに実装するにあたって、実装作業後以降である実装後においてのみ、接点を構成する転換部１２ｂと転換部１３ｂをスルーホールＴＨの内周面に接触させることができる。これにより、実装作業中においてプレスフィット端子１１を挿入方向Ｓに挿通させる段階では、転換部１２ｂと転換部１３ｂの表面のメッキをスルーホールＴＨの内周面に接触させないことができ、内周面との摩耗によるメッキの剥がれ、削れてしまう等の不具合を防止することができる。
【００３７】
さらに、本実施例２においては、実装作業後において上述したガイド１５をコネクタＣのハウジング１６に装着したままとすることにより、プレスフィット端子１１の菱形を形成する部分を保護するとともに、曲がりの発生を防止することができる。
【００３８】
上述した実施例２においては、垂直方向Ｖ視における菱形の数を二個とした形態を示したが、これを三つとして、接点を増やす形態とすることもできる。以下にこれについての実施例３について述べる。
【実施例３】
【００３９】
図４（ａ）に示すように、本実施例３のコネクタＣが含むプレスフィット端子２１は、対応する二枚の基板Ｐ１、Ｐ２に設けられたスルーホールＴＨ１、ＴＨ２の挿入方向Ｓに対して延びる一対の腕部２２、２３と、腕部２２、２３の挿入方向Ｓの反対側端部に一体的に形成される基部２４を含む。一対の腕部２２、２３と基部２４は実施例２と同じく例えば銅合金等の導電性の母材をプレス加工により一体成形することにより、一体的に形成される。
【００４０】
一対の腕部２２、２３が並列される並列方向Ｗと挿入方向Ｓに垂直な垂直方向Ｖから視て、一対の腕部２２、２３の挿入方向Ｓの端部２２ａ、２３ａは並列方向Ｗに隣接している。また、一対の腕部２２、２３は、端部２２ａ、２３ａから相互に離隔しながら挿入方向Ｓに対して傾斜した後傾斜する方向を転換する一対の転換部２２ｂ、２３ｂを構成し、一対の転換部２２ｂ、２３ｂから相互に接近して交差した後に相互に離隔する方向に延びた後、再度傾斜する方向を転換する一対の再転換部２２ｃ、２３ｃを構成する。
【００４１】
一対の腕部２２、２３は、一対の再転換部２２ｃ、２３ｃを構成した後、相互に接近して交差した後相互に離隔する方向に延びた後、再度傾斜する方向を転換する再々転換部２２ｄ、２３ｄを構成するとともに、スルーホールＴＨ１、ＴＨ２への非実装時において、一対の再々転換部２２ｄ、２３ｄの並列方向Ｗにおける第二間隔Ｗ２２はスルーホールＴＨ２の内径よりも小さいこととしている。
【００４２】
さらに、一対の腕部２２、２３は再々転換部２２ｄ、２３ｄを構成した後、基部２４に向けて相互に接近して基部２４に連絡される。基部２４はここでは図示しないハウジングに適宜の手段により固定され、支持される。
【００４３】
すなわち、垂直方向Ｖ視において、端部２２ａ、２３ａ、転換部２２ｂ、２３ｂ、転換部２２ｂと再転換部２２ｃとの間の傾斜部２２ｂｃと、転換部２３ｂと再転換部２３ｃとの間の傾斜部２３ｂｃとの交差する交差点により下側の菱形を形成し、交差点と再転換部２２ｃ、２３ｃと、再転換部２２ｃと再々転換部２２ｄとの間の傾斜部２２ｃｄと、再転換部２３ｃと再々転換部２３ｄとの間の傾斜部２３ｃｄとの交差する交差点とにより、中段の菱形を形成する。この交差点と再々転換部２２ｄ、２３ｄと基部２４との連絡点とにより上側の菱形を形成する。転換部、再転換部及び再々転換部は上述したプレス加工における折り曲げ作用に基づく折曲部として構成される。
【００４４】
本実施例３のプレスフィット端子２１においても、図４（ａ）に示すように、スルーホールＴＨ１、ＴＨ２への非実装時において、一対の転換部２２ｂ、２３ｂの並列方向Ｗにおける第一間隔はスルーホールＴＨ１の内径よりも小さいこととしている。ここでも、第一間隔は、並列方向Ｗにおいて、腕部２２、２３の厚みを含めた寸法とする。一対の転換部２２ｂ、２３ｂはスルーホールＴＨ１の内周面に対する接点を構成しており、一対の再々転換部２２ｄ、２３ｄはスルーホールＴＨ２の内周面に対する接点を構成している。接点を構成する部分の表面はメッキされており、接点を構成しない部分の表面にはメッキは施されない。
【００４５】
本実施例３のコネクタＣに対応する基板Ｐは、図４（ａ）に示すガイド２５を、一対の再転換部２２ｃ、２３ｃの並列方向Ｗにおける第三間隔を基板Ｐ１、Ｐ２への実装時に縮小する縮小部として含んでいる。ガイド２５は、実施例２と同様の切り欠き状の挿入口を有する開口２５ａを含んでおり、開口２５ａは並列方向Ｗにおいて図４（ｂ）に示すように内径φ２５の寸法を有する孔である。
【００４６】
内径φ２５は、図４（ａ）に示すように、第三間隔よりも小さく、第一間隔はスルーホールＴＨ１の内径よりも小さく、第二間隔はスルーホールＴＨ２の内径よりも小さいものとする。また、挿入口の並列方向Ｗにおける寸法は、実施例２と同じく、傾斜部２２ｂｃと傾斜部２３ｂｃが交差する交差点における、腕部２２、２３の並列方向Ｗにおける寸法よりも大きいものとする。このガイド２５は、コネクタＣの図示しないハウジングに、実施例２と同様のスライド機構を介して設けられている。
【００４７】
ここで図４を用いて実装時のプレスフィット端子２１及びガイド２５の動作を説明する。図４（ａ）に示すように、まず、プレスフィット端子２１を含むコネクタＣを基板Ｐ１のスルーホールＴＨ１及び基板Ｐ２のスルーホールＴＨ２の挿入方向Ｓ側に移動させて、腕部２２の転換部２２ｂと腕部２３の転換部２３ｂをスルーホールＴＨ１に挿通させ、腕部２２の再々転換部２２ｄと腕部２３の再々転換部２３ｄをスルーホールＴＨ２に挿通させる。
【００４８】
その後、図４（ｂ）に示すように、ガイド２５を挿入方向Ｓと反対方向に移動させて、腕部２２の転換部２２ｂと再転換部２２ｃとの間の傾斜部２２ｂｃと、腕部２３の転換部２３ｂと再転換部２３ｃとの間の傾斜部２３ｂｃとに、ガイド２５の開口２５ａの挿入方向Ｓの反対側の縁部を接触させる。
【００４９】
ガイド２５をさらに、挿入方向Ｓの反対方向に移動させると、ガイド２５の開口２５ａの縁部により傾斜部２２ｂｃと傾斜部２３ｂｃが挿入方向Ｓと反対方向に押圧されて、この押圧力は傾斜部２２ｂｃと傾斜部２３ｂｃにより図４（ａ）中並列方向Ｗにおいて再転換部２２ｃと再転換部２３ｃの第三間隔を縮小する圧縮力に変換されて、この圧縮力により第三間隔は縮小され、再転換部２２ｃと再転換部２３ｃは開口２５ａの内周面に案内されて第三間隔は開口２５ａの内径φ２５にまで縮小される。
【００５０】
プレスフィット端子２１の腕部２２の再転換部２２ｃと腕部２３の再転換部２３ｃの第三間隔が圧縮力により縮小されると、腕部２２の転換部２２ｂと腕部２３の転換部２３ｂには並列方向Ｗにおいて拡開する方向の拡大力が作用して、転換部２２ｂと転換部２３ｂはスルーホールＴＨ１の内周面に適切に接触される。同様に、腕部２２の再々転換部２２ｄと腕部２３の再々転換部２３ｄには並列方向Ｗにおいて拡開する方向の拡大力が作用して、再々転換部２２ｄと再々転換部２３ｄはスルーホールＴＨ２の内周面に適切に接触される。
【００５１】
以上述べた本実施例３のコネクタＣによっても、実施例２と同じく、以下に述べるような有利な作用効果を得ることができる。すなわち、コネクタＣを二枚の基板Ｐ１、Ｐ２に実装するにあたって、実装作業後以降である実装後においてのみ、接点を構成する転換部２２ｂと転換部２３ｂ、再々転換部２２ｄ、２３ｄをスルーホールＴＨ１、ＴＨ２の内周面に接触させることができる。
【００５２】
これにより、実装作業中においてプレスフィット端子２１を挿入方向Ｓに挿通させる段階では、転換部２２ｂと転換部２３ｂ及び再々転換部２２ｄと再々転換部２２ｄの表面のメッキをスルーホールＴＨ１、ＴＨ２の内周面に接触させないことができ、内周面との摩耗によるメッキの剥がれ、削れてしまう等の不具合を防止することができる。
【００５３】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００５４】
本発明は、プレスフィット端子及びコネクタに関するものであり、特には実装作業中のスルーホールの内周面との摩耗を防止して、電気的接続の信頼性も確保できるので、車両用、家庭用、オフィス用、産業上等の様々な電子機器に適用して有益なものである。
【符号の説明】
【００５５】
Ｃ      コネクタ
１      プレスフィット端子
２      腕部
２ａ    端部
２ｂ    転換部
２ｃ    再転換部
２２ｄ    再々転換部
３      腕部
３ａ    端部
３ｂ    転換部
３ｃ    再転換部
２３ｄ    再々転換部
４      基部
５      ガイド（縮小部）
１６      ハウジング
Ｐ      基板
ＴＨ    スルーホール
Ｓ      挿入方向
Ｗ      並列方向
Ｖ      垂直方向
【図１】
0005672211.tif 000002
【図２】
0005672211.tif 000003
【図３】
0005672211.tif 000004
【図４】
0005672211.tif 000005